(57)【要約】      （修正有）【課題】軽量かつ簡単な構造でありながらも、墓石を確実にホールドすることができ、さらに玉掛け作業も容易に行うことのできる墓石用吊り下げ具を提供する。【解決手段】長尺のスリング３の一端の第１リング部１をスリング３の長手方向中途部に長手方向移動自在に係止されているとともに、スリング３の他端の第２リング部２もスリング３の長手方向中途部に長手方向移動自在に係止されている。さらに、第２リング部２の係止部分と第１リング部１との間の第１のスリング部分３Ａと、第１リング部１の係止部分と第２リング部の係止部分との間の第２のスリング部分３Ｂとによって墓石Ｔの周囲に巻き付けられる締結輪が構成され、第１リング部１の係止部分と第２リング部２との間の第３のスリング部分３Ｃによって、締結輪の墓石対向側面間に架け渡される吊り下げ部を構成する。【選択図】図２
0003179886.tif 000002
【実用新案登録請求の範囲】
【請求項１】
長尺のスリング（３）の一端の第１リング部（１）が前記スリング（３）の長手方向中途部に長手方向移動自在に係止されているとともに、前記スリング（３）の他端の第２リング部（２）が、第１リング部（１）が係止された前記スリング（３）の長手方向中途部と第１リング部（１）との間で、前記スリング（３）の長手方向中途部に長手方向移動自在に係止されており、
第２リング部（２）が係止された前記スリング（３）の長手方向中途部と第１リング部（１）との間の第１のスリング部分（３Ａ）、第１リング部（１）が係止された前記スリング（３）の長手方向中途部と第２リング部（２）が係止された前記スリング（３）の長手方向中途部との間の第２のスリング部分（３Ｂ）、及び、第１リング部（１）が係止された前記スリング（３）の長手方向中途部と第２リング部（２）との間の第３のスリング部分（３Ｃ）のうちのいずれか２つによって墓石（Ｔ）の周囲に巻き付けられる締結輪が構成され、残りの一つにより、前記締結輪の墓石対向側面間に架け渡される吊り下げ部が構成されている墓石用吊り下げ具。
【請求項２】
請求項１に記載の墓石用吊り下げ具において、前記締結輪には、墓石（Ｔ）の各コーナー部に当接される複数の保護部材（４）が、前記スリング（３）の長手方向移動自在にそれぞれ取り付けられていることを特徴とする墓石用吊り下げ具。
【請求項３】
請求項２に記載の墓石用吊り下げ具において、前記保護部材（４）は、剛性本体（４ａ）と、該剛性本体（４ａ）の前記墓石（Ｔ）への対向側面に取り付けられた弾性パッド（４ｂ）とを有することを特徴とする墓石用吊り下げ具。
【請求項４】
請求項２又は３に記載の墓石用吊り下げ具において、前記保護部材（４）は前記墓石コーナー部の隣接２側面にそれぞれ当接する断面Ｌ字状部材からなることを特徴とする墓石用吊り下げ具。
【請求項５】
請求項２，３又は４に記載の墓石用吊り下げ具において、前記保護部材（４）は、下方開放状且つ墓石の周方向に貫通する取付溝（５）を有し、該取付溝（５）に下方から前記スリング（３）が挿入されていることを特徴とする墓石用吊り下げ具。
【請求項６】
請求項１〜５のいずれか１項に記載の墓石用吊り下げ具において、前記第１のスリング部分（３Ａ）と前記第２のスリング部分（３Ｂ）とによって前記締結輪が構成され、前記第３のスリング部分（３Ｃ）により前記吊り下げ部が構成されていることを特徴とする墓石用吊り下げ具。
【考案の詳細な説明】
【技術分野】
【０００１】
本考案は、墓石の玉掛けなどに用いられる墓石用吊り下げ具に関する。
【背景技術】
【０００２】
従来、墓石の組み立て作業を行う際に重量物である墓石をクレーンで持ち上げるために、例えば、下記の特許文献１に記載されたような墓石用ハンガー装置が用いられている。
【先行技術文献】
【特許文献】
【０００３】
【特許文献１】特開平８−２０８１７５号公報
【考案の概要】
【考案が解決しようとする課題】
【０００４】
しかし、上記従来の墓石用ハンガー装置は、それ自体大がかりで重量も重く、現場への持ち込み作業が煩雑であった。
【０００５】
そこで、本考案は、軽量かつ簡単な構造でありながらも、墓石を確実にホールドすることができ、さらに玉掛け作業も容易に行うことのできる墓石用吊り下げ具を提供することを目的とする。
【課題を解決するための手段】
【０００６】
本考案は、上記目的を達成するために、次の技術的手段を講じた。
【０００７】
すなわち、本考案の墓石用吊り下げ具は、長尺方向の一端部に第1リング部が設けられるとともに他端部に第２リング部が設けられた長尺のスリングによって主構成されることを特徴とするものである。長尺のスリングの一端の第１リング部が前記スリングの長手方向中途部に長手方向移動自在に係止されているとともに、前記スリングの他端の第２リング部が、第１リング部が係止された前記スリングの長手方向中途部と第１リング部との間で、前記スリングの長手方向中途部に長手方向移動自在に係止されている。また、第２リング部が係止された前記スリングの長手方向中途部と第１リング部との間の第１のスリング部分、第１リング部が係止された前記スリングの長手方向中途部と第２リング部が係止された前記スリングの長手方向中途部との間の第２のスリング部分、及び、第１リング部が係止された前記スリングの長手方向中途部と第２リング部との間の第３のスリング部分のうちのいずれか２つによって墓石の周囲に巻き付けられる締結輪が構成され、残りの一つの前記スリング部分により、前記締結輪の墓石対向側面間に架け渡される吊り下げ部が構成されている。
【０００８】
かかる本考案の墓石用吊り下げ具によれば、第１リング部と第２リング部とが墓石の対向側面にそれぞれ位置するように締結輪を構成する２つのスリング部分を平面視方形状の墓石の周囲にしっかりと巻き付けて、残りの一つのスリング部分によって構成される吊り下げ部を墓石の上方に引き上げてクレーンなどに係止して吊り上げると、締結輪は墓石との摩擦抵抗によって墓石に対して上方にずれていくことが阻止される一方、第１リング部や第２リング部がスリングに対して長手方向に移動することによって締結輪による墓石の締め付け力が自然に増大していき、墓石の自重によって締結輪による大きな締め付け力が得られ、数百ｋｇｆ〜１トンｆを超える墓石をもクレーンに吊り下げることができる。墓石から取り外すには、吊り下げ部をクレーンから外して、締結輪を大きくするように第１若しくは第２リング部をスリングに対して長手方向にずらすだけで、容易且つ迅速に取り外しを行うことができる。
【０００９】
上記本発明の墓石用吊り下げ具において、前記締結輪には、墓石の各コーナー部に当接される複数の保護部材が、前記スリングの長手方向移動自在にそれぞれ取り付けられているものとすることができる。これによれば、スリングが墓石のコーナー部によって傷付けられることを保護部材によって保護することができ、スリングの耐久性を向上できる。
【００１０】
さらに、前記保護部材は、剛性本体と、該剛性本体の前記墓石への対向側面に取り付けられた弾性パッドとを有することができる。これによれば、最も大きな締め付け力が作用する墓石のコーナー部近傍を傷付けてしまうことを弾性パッドによって防止することができるとともに、クレーンに吊り下げる際の摩擦抵抗力が弾性パッドによって向上され、より確実に墓石をホールドすることが可能になる。
【００１１】
また、前記保護部材は前記墓石コーナー部の隣接２側面にそれぞれ当接する断面Ｌ字状部材からなるものとすることができる。これによれば、保護部材を墓石のコーナー部に容易に位置決めすることができ、保護部材がコーナー部から外れてしまうことを防止できる。
【００１２】
また、前記保護部材は、下方開放状且つ墓石の周方向に貫通する取付溝を有し、該取付溝に下方から前記スリングが挿入されているものとすることができる。これによれば、保護部材をスリングに容易に着脱することができる。さらに、例えば、墓石の重量に応じて複数種類のスリングを選択的に使用する場合などに、保護部材は共用してスリングに付け外しすることができ、トータルコストの低減を図ることができる。
【００１３】
また、前記第１のスリング部分と前記第２のスリング部分とによって前記締結輪が構成され、前記第３のスリング部分により前記吊り下げ部が構成されているものとすることができる。これによれば、締結輪が、第１リング部から、第１リング部が係止された部位までの１本のスリング部分（すなわち、連続する第１及び第２スリング部分）によって構成され、この１本のスリング部分によって墓石を締め付けるようになるので、墓石のサイズに応じた締結輪の締め付け作業は、主として第１リング部に対してスリングを引き出すのみで行うことができ、その後第２リング部の位置を調整すればよい。
【考案の効果】
【００１４】
本考案によれば、軽量かつ簡単な構造でありながらも、墓石を確実にホールドすることができ、さらに玉掛け作業も容易に行うことのできる墓石用吊り下げ具を提供することができる。
【図面の簡単な説明】
【００１５】
【図１】本考案の一実施形態に係る墓石用吊り下げ具の墓石への取付け例を示す斜視図である。
【図２】図１において墓石を透過して示した斜視図である。
【図３】同墓石用吊り下げ具の墓石への取付けの他の例を示す斜視図である。
【考案を実施するための形態】
【００１６】
図１及び図２は、本考案の一実施形態に係る墓石用吊り下げ具を示し、該墓石用吊り下げ具は、両端にリング部１，２が設けられた長尺のスリング３と、４つのコーナー保護部材４とにより主構成されている。
【００１７】
スリング３は、ベルト状の繊維スリングにより構成され、長尺方向の一端部に第１リング部１が設けられ、他端部に第２リング部２が設けられている。これらリング部１，２は、スリングの両端を折り返して縫製することによって構成されていてもよいし、リング状の金具をスリングの両端に強固に取付けたものであってもよい。吊り下げようとする墓石の重量や大きさに応じた設計がなされるが、墓石の重量や大きさ毎に、例えば、最大重量３００ｋｇｆのスリングとして全長約４００ｃｍのもの、最大重量６００ｋｇｆのスリングとして全長約６００ｃｍのもの、最大重量１．２ｔｆのスリングとして全長約９００ｃｍのものなど、複数種類のスリングを用意しておくことができる。
【００１８】
また、スリング３の第１リング部１は、スリング３の長手方向中途部に長手方向移動自在に係止されているとともに、スリング３の第２リング部２が、第１リング部１が係止された前記スリング３の長手方向中途部と第１リング部１との間で、前記スリング３の長手方向中途部に長手方向移動自在に係止されている。すなわち、第１リング部１にスリング３の長手方向中途部が挿通されているとともに、第２リング部２にもスリング３の長手方向中途部が挿通されている。
【００１９】
そして、図１及び図２に示す実施例では、第２リング部２が係止された前記スリング３の長手方向中途部と第１リング部１との間の第１のスリング部分３Ａ、及び、第１リング部１が係止された前記スリング３の長手方向中途部と第２リング部２が係止された前記スリング３の長手方向中途部との間の第２のスリング部分３Ｂの２つのスリング部分３Ａ，３Ｂによって墓石Ｔの周囲に巻き付けられる締結輪が構成されており、この締結輪３Ａ，３Ｂには、墓石Ｔの各コーナー部に当接される上記保護部材４が、スリング３の長手方向移動自在にそれぞれ取り付けられている。
【００２０】
また、第１リング部１が係止された前記スリング３の長手方向中途部と第２リング部２との間の第３のスリング部分３Ｃによって、前記締結輪３Ａ，３Ｂの墓石対向側面間に架け渡される吊り下げ部が構成されており、この吊り下げ部３Ｃは墓石Ｔの上方に引き上げられて、クレーンなどに引っ掛けられるようになっている。
【００２１】
上記保護部材４は、剛性本体４ａと、該剛性本体４ａの前記墓石Ｔへの対向側面に取り付けられた弾性パッド４ｂとを有している。剛性本体４ａは、鋼材などにより構成され、墓石コーナー部の隣接２側面にそれぞれ当接する断面Ｌ字状部材からなり、墓石の隣接２側面にそれぞれ対向する各対向面に弾性パッド４ｂがそれぞれ取付けられている。弾性パッド４ｂは硬質ゴムやプラスチック材料などからなる平板状の部材からなり、剛性本体４ａに対して接着やネジ止めなどの適宜の方法によって強固に取付けられている。
【００２２】
また、剛性本体４ａには、下方開放状且つ墓石Ｔの周方向に貫通する取付溝５が設けられていて、該取付溝５に下方から前記スリング３の締結輪が挿入されている。さらに、取付溝５を構成する剛性本体４ａの外側壁のコーナー部は上下方向全長に亘る窓部が設けられており、この窓部から取付溝５内のスリング３の挿入状態を目視可能として、スリング３の挿入作業を容易に行えるようにしている。
【００２３】
次に、本実施例の墓石用吊り下げ具の墓石Ｔへの玉掛け方法を説明すると、まず、図１に示すように、締結輪３Ａ，３Ｂを墓石Ｔの周囲に巻き付けて、保護部材４を墓石Ｔのコーナー部に位置決めしつつ、吊り下げ部３Ｃを上方に引き上げると、第１リング部１に挿通されているスリング３の長手方向中途部が第１リング部１に対して前記締結輪を締め付ける方向に移動し、作業者の腕力によってある程度強固に締結輪によって墓石Ｔを周囲から締め付けることができる。そして、クレーンに吊り下げ部３Ｃを係止して上方に持ち上げると、保護部材４と墓石側面との間の摩擦力によって保護部材４の墓石に対する移動は阻止され、また、墓石の自重によって図２に示すように第１リング部１及び第２リング部２が係止された部分が上方に撓むことにより、一層強固に締結輪３Ａ，３Ｂが締め付けられ、重量物である墓石を安定的に吊り上げることが可能になる。
【００２４】
図３は、上記図１及び図２に示したスリング３と同一のスリングの墓石Ｔへの玉掛け方法の他の実施例を示しており、本実施例では、第１スリング部分３Ａと第３スリング部分３Ｃによって上記締結輪を構成し、第２スリング部分３Ｂを上記吊り下げ部として利用しているものである。
【００２５】
本発明は上記実施形態に限定されるものではなく、適宜設計変更できる。例えば、スリングはロープ状であってもよく、また、金属製であってもよい。また、各リング部は、完全な輪でなくともよく、スリングから外すための切り欠き部が設けられたものであってもよい。また、保護部材４は、墓石のすべてのコーナー部に設ける必要はなく、対角位置の２つのコーナー部のみに設けても強固に墓石を締め付けることが可能である。また、保護部材は、当て布などによって構成されていてもよい。
【図１】
0003179886.tif 000003
【図２】
0003179886.tif 000004
【図３】
0003179886.tif 000005